(57)【要約】【課題】おむつ着用時に胴周り部の蒸れを防止して良好な着用感が得られ、使用後のおむつを着用者から外す際にも前後身頃の側縁部の接合部を容易に引裂くことができるパンツ型使い捨ておむつを提供する。【解決手段】  前身頃と、後身頃と、これら前後身頃の間に位置する股下部とからなり、前身頃と後身頃の相対する長手方向両側縁部を接合してウエスト周り開口部と１対の脚周り開口部を形成し、各開口部の少なくとも一部に沿って伸縮弾性部材を配置したパンツ型使い捨ておむつにおいて、前記前身頃と後身頃のうちの少なくとも一方の身頃の側縁部には少なくとも１箇所に切り欠き部が形成されており、該切り欠き部が形成された部位では前記前身頃と後身頃は非接合状態になっていることを特徴とするパンツ型使い捨ておむつ。【選択図】  図１
2006314771.tif 000002
【特許請求の範囲】
【請求項１】
前身頃と、後身頃と、これら前後身頃の間に位置する股下部とからなり、前身頃と後身頃の相対する長手方向両側縁部を接合してウエスト周り開口部と１対の脚周り開口部を形成し、各開口部の少なくとも一部に沿って伸縮弾性部材を配置したパンツ型使い捨ておむつにおいて、
前記前身頃と後身頃のうちの少なくとも一方の身頃の側縁部には少なくとも１箇所に切り欠き部が形成されており、該切り欠き部が形成された部位では前記前身頃と後身頃は非接合状態になっていることを特徴とするパンツ型使い捨ておむつ。
【請求項２】
前記切り欠き部が形成された部位には、前記前身頃と後身頃のうちの一方の身頃に、他方の身頃と着脱可能な止着手段を有する止着テープが取付けられていることを特徴とする請求項１記載のパンツ型使い捨ておむつ。
【請求項３】
前記止着テープの基材は伸縮弾性を有する材料で形成されていることを特徴とする請求項２記載のパンツ型使い捨ておむつ。
【請求項４】
液透過性のトップシートと、液不透過性のバックシートと、これら両シートの間に配置された吸収体とを有するおむつ本体からなり、該おむつ本体の前身頃と後身頃の相対する両側縁部を接合してパンツ型に形成されていることを特徴とする請求項１〜３のいずれか１項に記載のパンツ型使い捨ておむつ。
【請求項５】
前記おむつ本体の前後身頃の両側縁部にサイドパネルが取付けられており、該サイドパネルを接合してパンツ型に形成されていることを特徴とする請求項４記載のパンツ型使い捨ておむつ。
【請求項６】
前記サイドパネルが伸縮弾性を有する材料で形成されていることを特徴とする請求項５記載のパンツ型使い捨ておむつ。
【請求項７】
液透過性のトップシートと、液不透過性のバックシートと、これら両シートの間に配置された吸収体とを有する吸収性本体と、吸収性本体の前身頃と後身頃に配置され、吸収性本体の両側縁部から外側へ延出する長さを有する帯状の連結部材とからなり、該連結部材のおむつ長手方向に沿う相対する両側縁部を接合してパンツ型に形成されていることを特徴とする請求項１〜３のいずれか１項に記載のパンツ型使い捨ておむつ。
【請求項８】
前記帯状の連結部材が伸縮弾性を有する材料で形成されていることを特徴とする請求項７記載のパンツ型使い捨ておむつ。
【請求項９】
液透過性のトップシートと、液不透過性のバックシートと、これら両シートの間に配置された吸収体とを有する吸収性本体と、吸収性本体が取付けられ、これを着用者に当てて保持する外装部材とからなり、該外装部材の前身頃と後身頃の相対する両側縁部を接合してパンツ型に形成されていることを特徴とする請求項１〜３のいずれか１項に記載のパンツ型使い捨ておむつ。
【発明の詳細な説明】
【技術分野】
【０００１】
本発明は、パンツ型使い捨ておむつに関するものである。さらに詳しくは、本発明は、おむつ着用時に胴周り部の蒸れを防止し、使用後のおむつを着用者から外す際に容易に外すことができるパンツ型使い捨ておむつに関するものである。
【背景技術】
【０００２】
一般に、パンツ型使い捨ておむつは、液透過性のトップシートと、液不透過性のバックシートと、これら両シートの間に配置された吸収体とを具備するおむつ本体からなり、おむつ本体の前後身頃の相対する両側縁を接合して、ウエスト周り開口部と一対の脚周り開口部を形成し、さらに、各開口部に沿って伸縮弾性部材を配置して形成されている。そして、用途に応じて好適に使用できるように様々な形態のものが提案されており、乳幼児を始めとして成人失禁者まで広く使用されている。
【０００３】
このようなパンツ型使い捨ておむつは、ウエスト周り部と脚周り部のフィット性を高めて漏れ防止効果の向上が図られているが、おむつのウエスト周りや脚周りの大きさより着用者のウエスト周りや脚周りが小さい場合にはその部分におむつが十分にフィットしないため、その部分から漏れが生じるという問題点を有している。
【０００４】
上記のような問題点を改善するために、ウエスト周り開口部と脚周り開口部に沿って止着テープを配置し、止着テープで各開口部を締め付けるようにしたパンツ型使い捨ておむつ（特許文献１）、ウエスト周り開口部に沿って止着テープを取付け、止着テープでウエスト周りの開口部を締め付けるようにしたパンツ型使い捨ておむつ（特許文献２）、両側縁の胴周り部に締結片を取付け、締結片で胴周り部を締め付けるようにしたパンツ型使い捨ておむつ（特許文献３、特許文献４）等が提案されている。
【０００５】
しかしながら、上記従来のパンツ型使い捨ておむつは、いずれも、ウエスト周り部と脚周り部のフィット性を高めて漏れ防止効果の向上を図っているため、着用者の胴周り部を必要以上に覆う構造になっており、そのため着用者の胴周り部から脚周り部にかけての部分が蒸れ易くなるという問題点を有している。
【０００６】
さらに、パンツ型使い捨ておむつは、使用後のおむつを着用者から取り外す場合には前後身頃を接合している側縁部の接合部を手で引裂いて外すことになるが、上記従来のパンツ型使い捨ておむつは、側縁部の接合状態によっては手で引裂き難い場合があり、引裂く際に余分な力が加わっておむつから排泄物が外へ飛出してしまい、着用者の衣類や肌を汚してしまうという問題点を有している。
【特許文献１】実開平５−３９５３１号公報
【特許文献２】特表平１０−５０３０９６号公報
【特許文献３】特開平５−３１７３５６号公報
【特許文献４】特表２００３−５３３２４７号公報
【発明の開示】
【発明が解決しようとする課題】
【０００７】
本発明は、上記従来のパンツ型使い捨ておむつの有する問題点を克服し、おむつ着用時に胴周り部の蒸れを防止して良好な着用感が得られ、使用後のおむつを着用者から外す際にも前後身頃の側縁部の接合部を容易に引裂くことができるパンツ型使い捨ておむつを提供するものである。
【課題を解決するための手段】
【０００８】
上記従来のパンツ型使い捨ておむつの有する問題点を解決するための本発明は、以下の各発明を包含する。
【０００９】
（１）前身頃と、後身頃と、これら前後身頃の間に位置する股下部とからなり、前身頃と後身頃の相対する長手方向両側縁部を接合してウエスト周り開口部と１対の脚周り開口部を形成し、各開口部の少なくとも一部に沿って伸縮弾性部材を配置したパンツ型使い捨ておむつにおいて、
前記前身頃と後身頃のうちの少なくとも一方の身頃の側縁部には少なくとも１箇所に切り欠き部が形成されており、該切り欠き部が形成された部位では前記前身頃と後身頃は非接合状態になっていることを特徴とするパンツ型使い捨ておむつ。
【００１０】
（２）前記切り欠き部が形成された部位には、前記前身頃と後身頃のうちの一方の身頃に、他方の身頃と着脱可能な止着手段を有する止着テープが取付けられていることを特徴とする（１）項記載のパンツ型使い捨ておむつ。
【００１１】
（３）前記止着テープの基材は伸縮弾性を有する材料で形成されていることを特徴とする（２）項記載のパンツ型使い捨ておむつ。
【００１２】
（４）液透過性のトップシートと、液不透過性のバックシートと、これら両シートの間に配置された吸収体とを有するおむつ本体からなり、該おむつ本体の前身頃と後身頃の相対する両側縁部を接合してパンツ型に形成されていることを特徴とする（１）項〜（３）項のいずれか１項に記載のパンツ型使い捨ておむつ。
【００１３】
（５）前記おむつ本体の前後身頃の両側縁部にサイドパネルが取付けられており、該サイドパネルを接合してパンツ型に形成されていることを特徴とする（４）項記載のパンツ型使い捨ておむつ。
【００１４】
（６）前記サイドパネルが伸縮弾性を有する材料で形成されていることを特徴とする（５）項記載のパンツ型使い捨ておむつ。
【００１５】
（７）液透過性のトップシートと、液不透過性のバックシートと、これら両シートの間に配置された吸収体とを有する吸収性本体と、吸収性本体の前身頃と後身頃に配置され、吸収性本体の両側縁部から外側へ延出する長さを有する帯状の連結部材とからなり、該連結部材のおむつ長手方向に沿う相対する両側縁部を接合してパンツ型に形成されていることを特徴とする（１）項〜（３）項のいずれか1項に記載のパンツ型使い捨ておむつ。
【００１６】
（８）前記帯状の連結部材が伸縮弾性を有する材料で形成されていることを特徴とする（７）項記載のパンツ型使い捨ておむつ。
【００１７】
（９）液透過性のトップシートと、液不透過性のバックシートと、これら両シートの間に配置された吸収体とを有する吸収性本体と、吸収性本体が取付けられ、これを着用者に当てて保持する外装部材とからなり、該外装部材の前身頃と後身頃の相対する両側縁部を接合してパンツ型に形成されていることを特徴とする（１）項〜（３）項のいずれか１項に記載のパンツ型使い捨ておむつ。
【発明の効果】
【００１８】
本発明のパンツ型使い捨ておむつは、前身頃と後身頃の相対する長手方向両側縁部を接合して形成されており、少なくとも一方の身頃の側縁部には少なくとも１箇所に切り欠き部が形成され、切り欠き部が形成された部位では前身頃と後身頃は非接合状態になっている。
このような構成の本発明のパンツ型使い捨ておむつは、切り欠き部が形成された部位では前後身頃が非接合状態となっているため、通気性が良好となり、おむつ着用時に腰周り部の蒸れが防止される。また、使用後のおむつを接合部で引裂いて着用者から外す場合、切り欠き部の部位では接合部が形成されていないため、接合部の長さが短くなっており、引裂き易いものである。
【００１９】
また、本発明の場合、切り欠き部が形成された部位において、前身頃と後身頃のうちの一方の身頃に、他方の身頃と着脱可能な止着手段を有する止着テープを取付けることにより、切り欠き部が形成された部位を止着テープで締め付けて、この部位のフィット性を良好にすることが可能となる。
【発明を実施するための最良の形態】
【００２０】
本発明のパンツ型使い捨ておむつは、前身頃と、後身頃と、これら前後身頃の間に位置する股下部とからなり、前身頃と後身頃の相対する長手方向両側縁部を接合してウエスト周り開口部と1対の脚周り開口部を形成し、各開口部の少なくとも一部に沿って伸縮弾性部材を配置して形成される。
【００２１】
具体的には、液透過性のトップシートと、液不透過性のバックシートと、これら両シートの間に配置された吸収体とを有するおむつ本体からなり、該おむつ本体の前身頃と後身頃の相対する長手方向両側縁部を接合してパンツ型に形成した、いわゆる一体型のパンツ型使い捨ておむつであっても良い。
この場合、前後身頃の長手方向両側縁部に伸縮弾性を有するサイドパネルを取付け、サイドパネルの相対する側縁部を接合してパンツ型に形成しても良い。
【００２２】
また、液透過性のトップシートと、液不透過性のバックシートと、これら両シートの間に配置された吸収体とを有する吸収性本体と、吸収性本体の前身頃と後身頃に配置され、吸収性本体の両側縁部から外側へ延出する長さを有する帯状の連結部材とからなり、該連結部材のおむつ長手方向に沿う相対する両側縁部を接合してパンツ型に形成した、いわゆる２ピース型のパンツ型使い捨ておむつであっても良い。
【００２３】
さらに、液透過性のトップシートと、液不透過性のバックシートと、これら両シートの間に配置された吸収体とを有する吸収性本体と、吸収性本体が取付けられ、これを着用者に当てて保持する外装部材とからなり、該外装部材の前身頃と後身頃の相対する両側縁部を接合してパンツ型に形成した、２ピース型のパンツ型使い捨ておむつであっても良い。
【００２４】
以下、図面を参照して、本発明のパンツ型使い捨ておむつを詳細に説明するが、勿論、本発明はこれらによって何等制限されるものではない。
【００２５】
図１は、本発明のパンツ型使い捨ておむつの１例を示しており、パンツ型使い捨ておむつを組立てた状態を前身頃側から見た斜視図である。
図１において、パンツ型使い捨ておむつ１は、吸収性本体２と、吸収性本体２の長手方向両端部領域に取付けられた帯状の連結部材３とからなり、吸収性本体２が股下部６で折返され、前身頃４と後身頃５における連結部材３のおむつの長手方向に沿う両側縁部が接合部７を介して接合されてウエスト周り開口部８と一対の脚周り開口部９が形成され、各開口部に沿って伸縮弾性部材１０、１１が配置されており、さらに、胴周り部にも、吸収性本体２が存在しない部位において、おむつの幅方向に複数本の伸縮弾性部材１０’が配置されている。
連結部材３は、図６〜図８に示されているように、２枚の不織布３１，３２を有し、これら２枚の不織布３１，３２の間に伸縮弾性部材１０’が挟み込まれた状態となっている。
【００２６】
また、前身頃４側の連結部材３の長手方向両側縁部には、切り欠き部１２が形成されており、切り欠き部１２が形成された部位では、後身頃５側の連結部材３と非接合状態になっている。さらに、切り欠き部１２が形成された部位には止着テープ１３が配置されており、止着テープ１３の一方の端部が後身頃５側の連結部材３の側縁部と接合部１４を介して接合されており、他方の端部領域には止着手段１５が取付けられており、前身頃４側の連結部材３の表面に配置されたターゲットシート１６に着脱可能に止着されている。
【００２７】
本実施例では、前身頃側の連結部材の表面に止着テープの止着手段と止着可能なターゲットシートを配置した例を示したが、連結部材が止着手段と止着可能な材料で形成されている場合には必ずしもターゲットシートを配置する必要はない。
【００２８】
図２は、本発明のパンツ型使い捨ておむつを組立てた状態を後身頃側から見た斜視図である。
図２において、パンツ型使い捨ておむつ１の後身頃５側の連結部材３の長手方向両側縁部表面には、補強シート１７が配置されており、接合部１４を介して連結部材３に接合されている（図６、図７参照）。このように、補強シート１７を配置することにより、図１に示すように、切り欠き部１２の部位に止着テープ１３を配置した場合、止着テープ１３を補強シート１７と共に後身頃５側の連結部材３に強固に接合することができるため、止着テープ１３を引っ張って切り欠き部１２が形成された部位を締め付けるための操作を容易に行なうことができるようになる。
なお、図１及び図２では、胴周り部の伸縮弾性部材１０’が、吸収性本体２が存在する部位には配置されていない不連続の状態で配置された例を示したが、胴周り部全体に亙って連続して配置しても良い。
【００２９】
図３は、図１の本発明のパンツ型使い捨ておむつの両側縁部を開放展開した状態を示しており、トップシート側から見た場合の一部切り欠き展開平面図である。
図３において、パンツ型使い捨ておむつ１は、吸収性本体２と帯状の連結部材３とからなり、吸収性本体２は、液透過性のトップシート２１と、液不透過性のバックシート２２と、これら両シートの間に配置された吸収体２３とから基本的に形成されており、連結部材３は、吸収性本体２の前身頃４と後身頃５において、吸収性本体２の幅寸法よりも長い寸法を有し、吸収性本体２の両側縁部から外方に延出しているものが配置されている。
【００３０】
また、連結部材３の長手方向端縁部のウエスト周り開口部の位置にはウエスト周り伸縮弾性部材１０が配置され、胴周り部の位置には胴周り伸縮弾性部材１０’が配置されており、さらに、前身頃４側の連結部材３の長手方向両側縁部には切り欠き部１２が形成されている。また、吸収性本体２の股下部６の両側縁部の脚周り開口部の位置には脚周り伸縮弾性部材１１が配置されており、脚周り開口部の内側には、パンツ型使い捨ておむつの長手方向に配置された液不透過性シート１９の吸収性本体中央側の自由縁に伸縮弾性部材２０を配置した一対の立体ギャザー１８が配置されている。
【００３１】
図４は、本発明のパンツ型使い捨ておむつを組立てた状態を前身頃側から見た斜視図であり、図１とは異なる例を示している。なお、図４において、図１と同じ部分には同じ符号が付してあり、重複する説明は省略する。
図４において、前身頃４側の連結部材３の両側縁部には、それぞれウエスト周り開口部側の上辺を含む領域と脚周り開口部側の下辺を含む領域の２箇所に切り欠き部１２が形成されており、各切り欠き部１２が形成された部位に止着テープ１３が取付けられている。連結部材３は２枚の不織布３１，３２を有し、これら２枚の不織布３１，３２の間に伸縮弾性部材１０’が挟み込まれた状態となっている。
前身頃４側の連結部材３に形成された切り欠き部１２の部位では前身頃４側の連結部材３と後身頃５側の連結部材３とは非接合状態であり、各切り欠き部１２が形成された部位には止着テープ１３が配置されている。
【００３２】
図５は、本発明のパンツ型使い捨ておむつにおいて、前後身頃の側縁部に切り欠き部が形成された部位の状態を示す部分拡大平面図である。
図５において、前身頃４側の連結部材３の側縁部に切り欠き部１２が形成されており、切り欠き部１２が形成された部位では、前身頃側と後身頃側の連結部材が非接合状態になっている。さらに、切り欠き部１２が形成された部位には止着テープ１３が配置されており、止着テープ１３の一方の端部が後身頃側の連結部材の側縁部と接合部１４を介して接合されており、他方の端部領域には止着手段１５が取付けられており、止着テープ１３の前身頃４側の連結部材３の表面に着脱可能に止着されている。止着手段１５が止着される前身頃４側の連結部材３の表面には、図１に示すターゲットシート１６を配置することができるが、前身頃４側の連結部材３の表面が止着手段を直接止着可能な面であれば必ずしもターゲットシート１６を配置する必要はない。
【００３３】
図６は、図５に示す切り欠き部が形成された部位をＸ−Ｘ線に沿って切断した状態を示す断面図である。
図６において、連結部材３は２枚の不織布３１、３２からなり、２枚の不織布３１、３２の間に伸縮弾性部材１０’（図示せず）が挟み込まれた状態で配置して形成されている。
また、前身頃４側の連結部材３の側縁部に切り欠き部１２が形成され、切り欠き部１２が形成された部位では前身頃４側と後身頃５側の連結部材３は非接合状態になっている。さらに、切り欠き部１２が形成された部位には止着テープ１３が配置されており、止着テープ１３の一方の端部が、後身頃５側の連結部材３の側縁部及び連結部材３表面に配置された補強シート１７と共に、接合部１４を介して接合されており、止着テープ１３の他方の端部領域には止着手段１５としての面ファスナーのフック材が取付けられており、前身頃４側の不織布からなる連結部材３の表面に直接着脱可能に止着されている。この例においては、ターゲットシート１６は配置されていない。
【００３４】
図７は、図５に示す切り欠き部が形成された部位をＸ−Ｘ線に沿って切断した状態を示す断面図であり、図６とは異なる例を示している。なお、図７において、図６と同じ部分には同じ符号が付してあり、重複する説明は省略する。
図７において、補強シート１７は、後身頃５側の連結部材３を形成する２枚の不織布３１、３２の間に配置されている。
また、止着テープ１３の端部に設けられた止着手段１５を構成するフック部材は、前身頃４側の連結部材３の表面に着脱可能に止着されており、この例においても、ターゲットシート１６は配置されていない。
【００３５】
図８は、図５に示す切り欠き部が形成された部位をＸ−Ｘ線に沿って切断した状態を示す断面図であり、図６及び図７とはさらに異なる例を示している。なお、図８において、図６と同じ部分には同じ符号が付してあり、重複する説明は省略する。
図８において、前身頃４側と後身頃５側の両方の連結部材３に切り欠き部１２が形成されており、切り欠き部１２が形成された部位に配置された止着テープ１３の一方の端部が補強シート１７の側縁部と接合部１４を介して接合されている。また、この例もターゲットシート１６が配置されていない例である。
【００３６】
図９は、図３の部分拡大平面図のＹ−Ｙ線に沿って切断した状態を示す断面図であり、通気性を有する撥水性の不織布１９等からなる立体ギャザー１８の配置状態を示している。立体ギャザー１８は、パンツ型使い捨ておむつ１の着用時に、脚周り開口部において吸収性本体２の吸収体２３の両側縁近傍を起立基端部とし、吸収性本体中央側の自由縁に配置された伸縮弾性部材２０が収縮することによって吸収性本体上に起立し、防漏壁を形成する。
【００３７】
以下、本発明において使用される材料について説明するが、本発明は、これらによって何等制限されるものではない。
【００３８】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３９】
本発明において、液不透過性、かつ、通気性のバックシートとしては、微孔を設けたポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを貼り合わせた積層構造のシートを用いることもできる。
【００４０】
本発明において、吸収体としては、通常の使い捨ておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型でも矩形でも良い。
【００４１】
本発明において、連結部材としては、ポリエチレン、ポリプロピレン、ポリエステル、その他の熱溶融性樹脂を原料とした合成繊維を含有する不織布により形成することができる。上記不織布は、上記原料合成繊維の単体からなる繊維、または２種類の合成樹脂原料を使用した芯鞘繊維を１種類または複数混合したものから構成される。また、不織布は、熱溶融性合成繊維と他の天然繊維又は合成繊維の混合原料から製造されるものであってもよい。連結部材は、これらの不織布を１枚で、あるいは、２枚以上のものを重ね合わせた状態で、さらには１枚の不織布を折畳んだ状態で使用することができる。
【００４２】
本発明において、連結部材、脚周り開口部及びウエスト周り開口部に配置される伸縮弾性部材としては、天然ゴムやウレタンなどの合成ゴムにて形成された糸ゴム、平ゴム等、使いすておむつに通常使用される伸縮弾性部材をそのまま使用することができ、これらの伸縮弾性部材を伸長状態で配置し、ホットメルト接着剤などにより接着固定される。
【００４３】
本発明において、止着テープは、基材シートの一方の端部領域に止着手段を配置して形成される。
基材シートとしては、着用者の肌に触れる可能性があるため、柔軟な材料で形成することが好ましく、また、伸縮性を有することが好ましく、伸縮性フィルム、平ゴム、糸ゴムなどを不織布で挟持固定したシート、伸縮性フォーム等を用いることができる。また、止着手段としては、各種粘着剤、面ファスナーのフック材等を用いることができる。
【００４４】
本発明において、止着テープの止着手段と着脱可能に止着されるターゲットシートとしては、止着手段が粘着剤で形成されている場合には、粘着剤と再接着、再剥離が可能な各種の合成樹脂からなるフィルムが用いられ、止着手段が面ファスナーのフック材で形成されている場合には、フック材と係合可能なループ材や不織布が用いられる。
【００４５】
本発明において、補強シートは、ポリエチレン、ポリプロピレン、ポリエステル、その他の熱可塑性樹脂を原料とした合成繊維等からなる熱融着可能な不織布で形成することができ、その坪量は、２０〜１００ｇ／ｍ２であることが好ましく、４０〜７０ｇ／ｍ２であることがより好ましい。
【００４６】
本発明のパンツ型使い捨ておむつは、液透過性のトップシートと、液不透過性のバックシートと、これら両シートの間に配置された吸収体とを有するおむつ本体の前後身頃の長手方向両側縁部にサイドパネルを取付け、サイドパネルの相対する側縁部を接合してパンツ型に形成したものであっても良い。
本発明において、サイドパネルとしては、ポリエチレン、ポリプロピレン、ポリエステル、その他の熱可塑性樹脂を原料とした合成繊維等からなる熱融着可能な不織布で形成することができ、伸縮性フィルム、伸縮性ネット、平ゴム、糸ゴム、伸縮性フォーム等の伸縮弾性部材を伸張状態で、ホットメルト接着剤などによる接着固定や熱接着で、前記不織布間に挟持固定したシートを用いることができる。また、前記伸縮弾性部材を自然長のまま、伸張可能な不織布で挟持・固定して伸縮可能にしたシートを用いることもできる。
【００４７】
また、本発明のパンツ型使い捨ておむつは、液透過性のトップシートと、液不透過性のバックシートと、これら両シートの間に配置された吸収体とを有する吸収性本体と、吸収性本体が取付けられ、これを着用者に当てて保持する外装部材とからなり、該外装部材の前身頃と後身頃の相対する両側縁部を接合してパンツ型に形成したものであっても良い。
本発明において、外装部材としては、ポリエチレン、ポリプロピレン、ポリエステル、その他の熱可塑性樹脂を原料とした合成繊維等からなる不織布で形成することができ、これらの不織布を単独で、あるいは数種類のものを張合わせて用いることができる。
【００４８】
本発明において、パンツ型使い捨ておむつには、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維からなる通気性を有する撥水性の不織布を用いて形成することができる。あるいは、サイドフラップを形成する不織布として広幅のものを用い、サイドフラップを形成するとともにおむつの内側へ延出する部分で立体ギャザーを形成しても良い。さらに、トップシートとして広幅のものを用い、トップシートの吸収体の両側縁から延出する部分で立体ギャザーを形成しても良い。
【００４９】
また、立体ギャザーの自由部の側縁部には伸縮弾性部材が配置されている。伸縮弾性部材としては、天然ゴムやウレタンなどの合成ゴムにて形成された糸ゴム、平ゴム等、使いすておむつに通常使用される伸縮弾性部材をそのまま使用することができ、これらの伸縮弾性部材を伸長状態で自由部の側縁部に配置し、ホットメルト接着剤などにより接着固定される。
【産業上の利用可能性】
【００５０】
本発明のパンツ型使い捨ておむつは、前身頃と後身頃の相対する長手方向両側縁部を接合して形成されており、少なくとも一方の身頃の側縁部には少なくとも１箇所に切り欠き部が形成され、切り欠き部が形成された部位では前身頃と後身頃は非接合状態になっている。このような構成の本発明のパンツ型使い捨ておむつは、切り欠き部が形成された部位では前後身頃が非接合状態となっているため、通気性が良好となり、おむつ着用時に腰周り部の蒸れが防止される。また、使用後のおむつを接合部で引裂いて着用者から外す場合、切り欠き部の部位では接合部が形成されていないため、接合部の長さが短くなっており、引裂き易いものである。
【００５１】
さらに、本発明のパンツ型使い捨ておむつは、切り欠き部が形成された部位において、前身頃と後身頃のうちの一方の身頃に、他方の身頃と着脱可能な止着手段を有する止着テープを取付けることにより、切り欠き部が形成された部位を止着テープで締め付けて、この部位のフィット性を良好にすることが可能となるものであり、乳幼児を始めとして成人失禁者用のパンツ型使い捨ておむつとして有用である。
【図面の簡単な説明】
【００５２】
【図１】本発明のパンツ型使い捨ておむつを組立てた状態を前身頃側から見た斜視図である。
【図２】本発明のパンツ型使い捨ておむつを組立てた状態を後身頃側から見た斜視図である。
【図３】本発明のパンツ型使い捨ておむつを組立てる前の状態をトップシート側から見た一部切り欠き展開平面図である。
【図４】本発明のパンツ型使い捨ておむつを組立てた状態を前身頃側から見た場合の他の例を示す斜視図である。
【図５】本発明のパンツ型使い捨ておむつの前後身頃の側縁部に切り欠き部が形成された部位の状態を示す部分拡大平面図である。
【図６】図５に示す切り欠き部が形成された部位をＸ−Ｘ線に沿って切断した状態を示す断面図である。
【図７】図５に示す切り欠き部が形成された部位をＸ−Ｘ線に沿って切断した状態の他の例を示す断面図である。
【図８】図５に示す切り欠き部が形成された部位をＸ−Ｘ線に沿って切断した状態のさらに別の例を示す断面図である。
【図９】図３中のＹ−Ｙ線に沿って切断した状態を示す断面図である。
【符号の説明】
【００５３】
１：パンツ型使い捨ておむつ
２：吸収性本体
３：連結部材
４：前身頃
５：後身頃
６：股下部
７：接合部
８：ウエスト周り開口部
９：脚周り開口部
１０：伸縮弾性部材
１０’：伸縮弾性部材
１１：伸縮弾性部材
１２：切り欠き部
１３：止着テープ
１４：接合部
１５：止着手段
１６：ターゲットシート
１７：補強シート
１８：立体ギャザー
１９：通気撥水性シート
２０：立体ギャザー伸縮弾性部材
２１：トップシート
２２：バックシート
２３：吸収体
３１：不織布
３２：不織布
【図１】
2006314771.tif 000003
【図２】
2006314771.tif 000004
【図３】
2006314771.tif 000005
【図４】
2006314771.tif 000006
【図５】
2006314771.tif 000007
【図６】
2006314771.tif 000008
【図７】
2006314771.tif 000009
【図８】
2006314771.tif 000010
【図９】
2006314771.tif 000011